(57)【要約】【課題】エレベータ用ワイヤロープの心綱からストランドに向かって、長期間にわたりグリースやオイルを供給できるようにする。【解決手段】本発明のエレベータ用ワイヤロープ２０は、心綱２１と、この心綱２１の周りに撚り合わされたストランド２２ａ〜２２ｆとを備え、心綱２１の素線２４には潤滑剤を封入したカプセル２３が付設されている。カプセル２３は、その厚みや大きさ、材質が異なっているため、これらのカプセル２３が疲労破壊して潤滑剤や防錆剤、添加剤が取り出されるまでの時間は様々であり、長期間にわたってワイヤロープを潤滑し防錆することができる。【選択図】図１
2008063016.tif 000002
【特許請求の範囲】
【請求項１】
エレベータに用いるワイヤロープであって、
心綱と、
この心綱の周りに配設されたストランドとを備え、
前記心綱には潤滑剤を封入したカプセルが付設されていることを特徴とするエレベータのワイヤロープ。
【請求項２】
前記カプセルは、その厚みや大きさ、材質が異なる複数のカプセルから構成されていることを特徴とする請求項１に記載したエレベータのワイヤロープ。
【請求項３】
前記潤滑剤は、前記心綱に予め含浸させるグリースあるいはオイルであることを特徴とする請求項１に記載のエレベータのワイヤロープ。
【請求項４】
前記カプセルには、前記ストランドを潤滑し防錆するための添加剤が封入されていることを特徴とする請求項１に記載のエレベータのワイヤロープ。
【発明の詳細な説明】
【技術分野】
【０００１】
本発明は、エレベータのワイヤロープに関し、より詳しくは、ワイヤロープを構成している心綱に潤滑あるいは防錆のためのグリースやオイルを保持する技術の改良に関する。
【背景技術】
【０００２】
従来、ロープ式のエレベータにおいては、図３に示したように、機械室１に設けた巻上機２のトラクションシーブ３およびそらせシーブ４にメインロープ５を巻き掛けるとともに、このメインロープ５の両端に乗りかご６および釣合錘７をそれぞれ接続し、昇降路８の内部でつるべ式に昇降させるようになっている。
また、乗りかご６および釣合錘７からはコンペンロープ９が垂下してコンペンシーブ１０に巻き掛けられ、乗りかご６および釣合錘７の昇降に伴ってメインロープ５の長さに不釣合が生じたときに、その重量の不釣合を補償するようになっている。
さらに、エレベータには、乗りかご６が所定値を超えた速度で降下し始めたことを検出して非常制動をかけるための調速機（図示せず）が設けられており、機械室１に設けられた上側シーブ１１と昇降路８の下部に設けられた下側シーブ１２との間にガバナロープ１３が巻き掛けられ、その途中の部分が乗りかご６に接続されている。
【０００３】
上述したメインロープ５、コンペンロープ９、ガバナロープ１３は、一般的に、図４および図５に示した構造を有している。
メインロープ５を例にとって説明すると、図４の断面図の中央に位置しているのはメインロープ５の心綱５ａであり、麻やポリプロピレン製の心綱素線５ｂを撚り合わせあるいは編み上げた構造となっている。
そして、心綱５ａの周囲には６本または８本のストランド５ｃが巻き付けられているが、これらのストランド５ｃは、図５に示したように、一般的には鋼線である素線５ｄを撚り合わせた構造となっている。
【０００４】
また、エレベータに用いるワイヤロープにおいては、潤滑および防錆のためのオイルやグリースがその心綱に予め含浸されており、ストランドに向かって次第に滲み出ることによってストランドを潤滑防錆し、その素線の摩耗を防止して耐久性を向上させるようになっている。
しかしながら、エレベータの使用環境によっては、ストランドの素線の表面から早期にオイルやグリースが失われることがあるため、作業員が刷毛を用いてオイルを塗布したりロープ給油器を設置したりしている（下記、特許文献１，２を参照）。
【０００５】
【特許文献１】特開２０００−８６１１６号公報
【特許文献２】特開２００６−２１８７３号公報
【発明の開示】
【発明が解決しようとする課題】
【０００６】
しかしながら、作業員による刷毛を用いた手作業では、塗布したオイルが過剰となって飛散し周囲に付着することがあった。
また、ロープ給油器には定期的にオイルを補充する必要があるため、エレベータを停止させざるを得ず、エレベータの運行に支障をきたすこともあった。
【０００７】
そこで本発明の目的は、上述した従来技術が有する問題点を解消し、エレベータに用いるワイヤロープの心綱からストランドの素線に向かって長期間にわたりグリースやオイルを供給できるように改良されたワイヤロープを提供することにある。
【課題を解決するための手段】
【０００８】
上記の課題を解決する本発明は、エレベータに用いるワイヤロープであって、心綱と、この心綱の周りに配設されたストランドとを備え、前記心綱には潤滑剤を封入したカプセルが付設されていることを特徴とする。
このとき、カプセルは、その厚みや大きさ、材質が異なる複数の種類のカプセルから構成することができる。
また、潤滑剤は、心綱に予め含浸させるグリースやオイルと同じとし、あるいは潤滑や防錆のための添加剤のみを封入することもできる。
【０００９】
すなわち、本発明のエレベータのワイヤロープは、シーブに巻き掛けられて屈伸を繰り返すうちにカプセルが徐々に疲労破壊し、その内部に封入されている潤滑剤や防錆剤、添加剤が取り出され、ストランドを構成している素線に徐々に浸透してこれを潤滑する。
このとき、心綱に付設されているカプセルの厚みや大きさ、材質が様々に異なっているため、カプセルが疲労破壊して潤滑剤や防錆剤、添加剤が取り出されるまでの時間は様々であり、したがって長期間にわたってワイヤロープを潤滑し防錆することが可能となる。
【発明の効果】
【００１０】
本発明によれば、エレベータに用いるワイヤロープの心綱からストランドの素線に向かって長期間にわたりグリースやオイルを順次供給できるように改良されたワイヤロープを提供することができる。
【発明を実施するための最良の形態】
【００１１】
以下、図１および図２を参照し、本発明に係るエレベータのワイヤロープの一実施形態について詳細に説明する。
【００１２】
図１にその断面を示したエレベータのワイヤロープ２０は、例えば、図３に示したロープ式エレベータのメインロープ５として使用するものであり、麻やポリプロピレン等の繊維、あるいは金属製の心綱素線２４を撚り合わせあるいは編み上げてなる心綱２１の周りに、素線としての鋼線を撚り合わせてなる６本のストランド２２ａ〜２２ｆを配置した構造となっている。
そして、心綱２１の素線２４には、グリースやオイル等の潤滑剤、添加剤を封入した多数のマイクロカプセル２３が付設されている。
【００１３】
マイクロカプセル２３は、図２に示したように、心綱２１の素線２４の製造と同時に付設することもできるし、心綱２１の素線２４を撚り合わせあるいは編み上げることによって心綱を製造するときに心綱の内部および外部に付設することもできる。
【００１４】
マイクロカプセル２３は、例えば、ポリウレタン系樹脂組成物、ポリエステル系樹脂組成物、ポリアミド系樹脂組成物、ポリウレア系樹脂組成物、フェノール系樹脂組成物、ポリビニルアルコール系樹脂組成物、メラミン系樹脂組成物等の熱可塑性樹脂、熱硬化性樹脂を含有する樹脂組成物から製作することができる。
【００１５】
マイクロカプセル２３は、例えば、界面重合法，In-situ重合法，相分離法，液中乾燥法，オリフィス法，スプレードライ法，気中懸濁被覆法，ハイブリダンザー法等によって製造することができる。
【００１６】
また、マイクロカプセル２３を製造した時点では、その粒径分布にばらつきが生じているので、遠心分離法やフィルター法によって所定の粒径、したがって所定の肉厚を有するマイクロカプセルを選択的に分離することもできる。
なお、マイクロカプセル２３の平均粒径は、例えば１０μｍ〜５００μｍとすることができる。
これは、マイクロカプセル２３の粒径が１０μｍ未満であると、内包するグリースやオイル，添加剤の量が不十分となる場合がおそれがあり、５００μｍを超えるとワイヤロープ２０の心綱２１の素線２４への付設が効率よく行えなくなるおそれがあるからである。
しかしながら、ワイヤロープの構造に応じてマイクロカプセル２３の粒径を最適に選択できることは言うまでもない。
【００１７】
さらに、マイクロカプセル２３に封入するグリースやオイルの種類は、エレベータのワイヤロープに一般的に用いるものとすることができるが、それには限定されない。
例えば、グリースやオイルに一般的に添加されている酸化防止剤，防錆剤，極圧剤，油性剤，及び金属不活性化剤等をグリースやオイルに混合して、あるいはこれらの添加剤を単独でマイクロカプセル２３に封入することができる。
【００１８】
すなわち、本実施形態のエレベータのワイヤロープ２０においては、例えばトラクションシーブ３やそらせシーブ５に巻き掛けられて屈伸を繰り返すうちにマイクロカプセル２３が徐々に疲労破壊し、その内部に封入されているグリースやオイル、添加剤が取り出され、ストランド２２ａ〜２２ｆを構成している素線に徐々に浸透してこれを潤滑する。
【００１９】
このとき、心綱２１の素線２４に付設されているマイクロカプセル２３は、その粒径、したがってその壁厚や、大きさ、材質が様々に異なっているため、それが疲労破壊して潤滑剤や防錆剤、添加剤が取り出されるまでの時間は様々である。
したがって、ワイヤロープ２０の心綱に予め含浸させてあったグリースやオイルが消耗し、ストランド２２ａ〜２２ｆの素線が乾燥し始めるときに、マイクロカプセル２３からグリースやオイルが供給され始めるようにすることができる。
さらには、マイクロカプセル２３から順次供給されるグリースやオイルによって、ワイヤロープ２０を長期間にわたって潤滑しかつ防錆することが可能となる。
【００２０】
以上、本発明に係るエレベータのワイヤロープの一実施形態について詳しく説明したが、本発明は上述した実施形態によって限定されるものではなく、種々の変更が可能であることは言うまでもない。
例えば、上述した実施形態においては、エレベータのメインロープについて説明したが、コンペンロープやガバナロープにも本発明を適用できることは言うまでもない。
【図面の簡単な説明】
【００２１】
【図１】本発明のエレベータのワイヤロープの一実施形態を示す断面図。
【図２】心綱を構成する素線とグリース入りカプセルを示す側面図。
【図３】ロープ式エレベータ構造を模式的に示す側面図。
【図４】エレベータのワイヤロープの一般的な構造を示す断面図。
【図５】図４に示したワイヤロープを解いた状態で示す側面図。
【符号の説明】
【００２２】
１  機械室
２  巻上機
３  トラクションシーブ
４  そらせシーブ
５  メインロープ
５ａ  心綱
５ｂ  ストランド
５ｃ  心綱素線
５ｄ  ストランド素線
６  乗りかご
７  釣合錘
８  昇降路
９  コンペンロープ
１０  コンペンシーブ
１１  上側シーブ
１２  下側シーブ
１３  ガバナロープ
２０  本発明のワイヤロープ
２１  心綱
２２ａ〜２２ｆ  ストランド
２３  マイクロカプセル
２４  心綱の素線
【図１】
2008063016.tif 000003
【図２】
2008063016.tif 000004
【図３】
2008063016.tif 000005
【図４】
2008063016.tif 000006
【図５】
2008063016.tif 000007